(57)【要約】【課題】攪拌翼による洗濯方式において、構成が簡単で部品点数も少なく低価格で洗浄性能にも優れた洗濯機を提供する。【解決手段】内槽４０を上下に二分割し、内部に突出した複数個の邪魔板２８を有する上内槽２９と下内槽３０とで構成し、前記上内槽２９と下内槽３０を回動自在とすることで、洗濯物により複雑な動きと負荷を与えることができ、均等に洗濯物同士をこすれさせ、洗いむらのない洗濯を実現でき、さらに、上内槽２９に設けた邪魔板２８と洗濯物のこすれにより洗浄性能を向上させることができる。【選択図】図１
2008006047.tif 000002
【特許請求の範囲】
【請求項１】
有底略円筒状をなし周壁に多数の小孔を有する内槽と、この内槽の底部に回転自在に設けた攪拌翼と、緩衝部材により水封され前記内槽を内包する有底略円筒状の外槽と、一端を前記攪拌翼に連結した洗濯軸の他端に連結した連結部材と、前記洗濯軸を同軸上に内装し一端を前記内槽の底部下面に連結し他端を前記連結部材に当接させた脱水軸と、前記脱水軸の下端と前記連結部材の外周部に設け伝達解除機能を有するスプリングクラッチと、前記連結部材に連結したモータと、前記モータを下方より弾性支持するサスペンションとを備え、前記内槽を上下に二分割し、内部に突出した複数個の邪魔板を有する上内槽と下内槽とし、前記上内槽と下内槽を回動自在に取り付けた洗濯機。
【請求項２】
上内槽および下内槽は、弾性を有する材質で構成し、前記上内槽の下端には断面形状略Ｕ字をなす嵌合部と、前期下内槽の上端に断面形状略Ｕ字をなす嵌合溝を形成し、前記上内槽の嵌合部を下内層の嵌合溝に遊嵌せしめた請求項１に記載の洗濯機。
【発明の詳細な説明】
【技術分野】
【０００１】
本発明は、同一槽にて洗い、排水、脱水を可能とする洗濯機に関するものである。
【背景技術】
【０００２】
近年、洗濯機に対する市場の要望は多様化しており、一度に大量の洗濯物が自動的に洗えることができる高価な大容量の全自動洗濯機から、小容量で低価格の手動操作の二槽式洗濯機まで数多くの種類の洗濯機が開発されている。それら多様化した市場の要望のなかに、小スペースでありながら大容量の洗濯が可能で、価格も安価な洗濯機の要望がある。
【０００３】
これらは、居住スペースが比較的狭く、洗濯機にスペースを割くことができず、洗濯についてもこだわりがなく、「洗えればよい」という需要家層の要望であり、具体的には一人暮らしの学生や単身赴任者等の要望である。
【０００４】
従来、この種の洗濯機は、図４の縦断面図に示すように構成していた（例えば、特許文献１参照）。以下、その構成について説明する。
【０００５】
図４に示すように、洗濯兼脱水槽である内槽１は、略有底筒状で周壁に小孔２を有し、この内槽１の外側を包むように外槽３を設けている。内槽１の上部には、環状のバランサー４が取り付けている。内槽１の上方を覆うように脱水受けカバー５が外槽３の上部に取り付けられている。内槽１の底面には、上端に攪拌翼６を取り付けた洗濯軸７を同軸的に回転自在に内装する脱水軸８と一体化したカップリング９が取り付けねじ１０により取り付けられ、ブレーキホイール（連結部材）１１を介して、サスペンション１２により防振支持されたモータ（駆動手段）１３を取り付け、鉛直方向を回転軸として、内槽１および攪拌翼６に回転を伝達している。
【０００６】
前記洗濯軸７の下端はブレーキホイール１１の上部に取り付けねじ（図示せず）により締結されている。また、前記ブレーキホイール１１は下部にモータ軸（図示せず）を挿入し、取り付けねじ（図示せず）により締結され、上端は脱水軸８の下端と当接し、両端面近傍部外周には伝達解除機能を有するコイル状に形成したスプリングクラッチ１４が巻装着される。
【０００７】
前記スプリングクラッチ１４はクラッチ部材１５に内装されている。前記クラッチ部材１５と係合するクラッチ爪１６を有するクラッチレバー１７が設けられており、クラッチレバー１７を操作することにより、クラッチ爪１６がクラッチ部材１５と係合している場合（洗い動作時）は、スプリングクラッチ１４が緩められブレーキホイール１１と洗濯軸７が一体となりモータ１３の回転を攪拌翼６に伝達し、クラッチ爪１６がクラッチ部材１５と離れている場合（脱水時）は、ブレーキホイール（連結部材）１１と脱水軸８が一体となりモータ１３の回転を内槽１に伝達する構成となっている。
【０００８】
洗い動作時には可変速機能付きのモータ１３を低速側に設定し、脱水時には高速側に設定するとともに、脱水時の回転方向はスプリングクラッチ１４のコイルが締まる方向となるよう構成している。
【０００９】
排水弁１８は外槽３の底面に設け、内槽１と外槽３内の洗濯水を排水するものであり、排水された洗濯水は排水ホース１９を介して機外に排水される。
【００１０】
外槽３は内槽１を略同心円状に包囲するよう構成している。外槽３の底部中央部にはカップリング９を回転支持しながら防振支持するとともに外槽３内を水封するゴム等の可撓性材質で構成された緩衝部材２０を備えている。
【００１１】
外部筐体２１は外槽３を上部に保持し、底面部は、サスペンション１２を内装固定した台枠２２に載置されている。また、外槽３の上部には、内槽１と対向する透穴２３を有し、透穴２３を覆うウチブタ２４を開閉自在に装着した前記脱水受けカバー５を取り付けている。さらに、制御装置２５を内装したパネル２６と最上部を覆う上蓋２７が設けられている。
【００１２】
上記構成において動作を説明すると、洗い動作時には、内槽１内に洗濯物を入れて給水すると、給水された洗濯液は、内槽１の周壁の多数の小孔２を通して外槽３内にも給水される。
【００１３】
規定水位に達したのち、制御装置２５を操作し、モータ１３を低速回転させる。このとき、クラッチレバー１７に装着されたクラッチ爪１６は、クラッチ部材１５の外周と係合しており、クラッチ部材１５に内装された伝達解除機能を有するクラッチスプリング１４を解除する方向（緩み側）に回動させている。これにより、モータ１３の回転は、脱水軸８には伝達されず、ブレーキホイール１１を介して洗濯軸７、攪拌翼６へと伝達され、攪拌翼６の回転により洗濯物を回動して汚れを除去する。
【００１４】
次に、排水時には、モータ１３の回転を止めて、攪拌翼６の回転を止め、手動により排水弁１８を開くことで、多数の小孔２により連通した内槽１および外槽３内の洗濯液を排水ホース１９を介して機外に排水することができる。
【００１５】
さらに、脱水時には、排水弁１８を開き、クラッチレバー１７を手動にて動作させ、クラッチ爪１６をクラッチ部材１５の外周から離脱させ、クラッチスプリング１４のしまり方向にモータ１３を高速回転させることにより、ブレーキホイール１１と脱水軸８は一体となって回転する。これにより、内槽１は高速回転し、その遠心力により、洗濯物内の洗濯液は、内槽１の周壁に設けた小孔２を通って外槽３へ排出され、排水弁１８、排水ホース１９と流れ、機外に排出することができる。
【特許文献１】特開２００２−３６０９７９号公報
【発明の開示】
【発明が解決しようとする課題】
【００１６】
しかしながら、前記の従来の構成では、小スペースでありながら大容量の洗濯を実現させるため、浴比（布１ｋｇに対する水の量）が少なくなることにより、布の動きが悪くなり、洗いむらが大きく、安定性にかける洗浄性能になっており、洗いむらが少なく安定した洗浄性能を確保するのが大きな課題であった。
【００１７】
本発明は上記従来の課題を解決するもので、構成が簡単で部品点数も少なく価格も安価で洗浄性能にも優れた洗濯機を提供することを目的としている。
【課題を解決するための手段】
【００１８】
上記目的を達成するために、本発明の洗濯機は、内槽を上下に二分割し、内部に突出した複数個の邪魔板を有する上内槽と下内槽とに分割し、前記上内槽と下内槽を回動自在に構成したものである。
【００１９】
これにより上内槽と下内槽に回転差が生じ、洗濯物に複雑な動きを与え、洗濯物同士のねじれとこすれをより多く発生させることができ、さらに、内部に突出した複数個の邪魔板が洗濯物とこすれることで、洗浄効果を高めることができる。
【００２０】
これにより、傷みやすい洗濯物を損傷することなく、洗い、すすぎ、脱水を同一槽で行うことができるとともに、さらに、構成を簡単にして部品点数を低減でき、安価で、洗浄性能を高めることができる。
【発明の効果】
【００２１】
本発明の洗濯機は、簡単かつ確実な構成で、浴比が少なくても洗浄性能を高めることができる。
【発明を実施するための最良の形態】
【００２２】
第１の発明は、有底略円筒状をなし周壁に多数の小孔を有する内槽と、この内槽の底部に回転自在に設けた攪拌翼と、緩衝部材により水封され前記内槽を内包する有底略円筒状の外槽と、一端を前記攪拌翼に連結した洗濯軸の他端に連結した連結部材と、前記洗濯軸を同軸上に内装し一端を前記内槽の底部下面に連結し他端を前記連結部材に当接させた脱水軸と、前記脱水軸の下端と前記連結部材の外周部に設け伝達解除機能を有するスプリングクラッチと、前記連結部材に連結したモータと、前記モータを下方より弾性支持するサスペンションとを備え、前記内槽を上下に二分割し、内部に突出した複数個の邪魔板を有する上内槽と下内槽とし、前記上内槽と下内槽を回動自在に取り付けた構成とすることで、上内槽と下内槽に回転差を生じさせ、洗濯物に複雑な動きを与え、洗濯物同士のねじれとこすれをより発生させることができ、さらに、内部に突出した複数個の邪魔板が洗濯物とこすれることで、洗浄効果を高めることができる。
【００２３】
第２の発明は、特に第１の発明の上内槽および下内槽は、弾性を有する材質で構成し、前記上内槽の下端には断面形状略Ｕ字をなす嵌合部と、前記下内槽の上端に断面形状略Ｕ字をなす嵌合溝を形成し、前記上内槽の嵌合部を下内層の嵌合溝に遊嵌せしめた構成とすることで、上内槽と下内槽との組み立ては、上方より上内槽を、弾性を利用して圧入することで出来るので、簡単な構成で、部品点数も少なく、生産性も優れた構成である。
【００２４】
以下、本発明の一実施の形態について、図面を参照しながら説明する。また、従来例と同構成の部品については同じ部品番号を付与する。なおこの実施の形態によって本発明が限定されるものではない。
【００２５】
（実施の形態１）
図１は本発明の第１の実施の形態における洗濯機の縦断面図であり、図２は同洗濯機の上内槽と下内槽の要部斜視図であり、図３は同洗濯機の要部拡大断面図である。
【００２６】
なお、従来と同構成のものは同番号を付して説明する。
【００２７】
図１に示すように、内槽４０は、略有底筒状で周壁に小孔２を有し、この内槽４０の外側を包むように外槽３を設けている。前記内槽４０は上下に二分割し、内部に突出した複数個の衣類回動抵抗用の邪魔板２８を有する上内槽２９と下内槽３０とし、いずれも合成樹脂等の弾性を有する成型材で構成する。
【００２８】
上内槽２９と下内槽３０との取付構成は、図２に示すように、上内槽２９の下端には断面形状略Ｕ字をなす嵌合部３１を形成する。また、下内槽３０の上端に断面形状略Ｕ字をなす嵌合溝３２を形成し、前記上内槽２９の嵌合部３１をこの嵌合溝３２に遊嵌し、前記下内槽３０の嵌合溝３２の外側には内方に屈曲した爪部３３を円周上に複数個形成し、前記上内槽２９の嵌合部３１の外側のリブ３４と嵌合する構成としている。
【００２９】
前記の上内槽２９と下内槽３０との組み立ては、図２の矢印Ａのように、上方より上内槽２９の嵌合部３１を、合成樹脂で構成された下内槽３０の爪部３３の弾性を利用して圧入する。
【００３０】
上内槽２９と下内槽３０との組み立てられた構成の詳細は、図３に示すように、嵌合部３１が嵌合溝３２に遊嵌すると共に、上内槽２９の嵌合部３１の外側のリブ３４の高さ（Ｈ）は、下内槽３０の嵌合溝３２の底面３７からの爪部３３までの高さ（Ｈ＋Ｓ）より微少寸法Ｓだけ大きい。
【００３１】
さらに、嵌合溝３２の底面３７の内方には環状の突起３５を一条または複数条一体形成し、前記上内槽２９の嵌合部３１の底板３６の外底部に当接させ、接触面積を少なくして上内槽２９と下内槽３０の回動時の摩擦抵抗を低減し、円滑な回動を実現している。
【００３２】
以上のように構成された洗濯機について以下に動作、作用を説明する。
【００３３】
洗い時には、内槽４０内に洗濯物を入れて給水すると、給水された洗濯液は、内槽４０の周壁の多数の小孔２を通して外槽３内にも給水される。
【００３４】
給水が規定水位に達したのち、制御装置２５を操作し、モータ１３を回転させ洗濯動作をさせる。このとき、クラッチレバー１７に装着されたクラッチ爪１６は、クラッチ部材１５の外周と係合しており、クラッチ部材１５に内装された伝達解除機能を有するクラッチスプリング１４を解除する方向（緩み側）に回動させている。
【００３５】
これにより、モータ１３の回転は、脱水軸８には伝達されず、ブレーキホイール（連結部材）１１を介して洗濯軸７、攪拌翼６へと伝達され、攪拌翼６の回転により洗濯物を回して汚れを除去する。
【００３６】
その際、上内槽２９と下内槽３０が回動自在となっており、さらに前記上内槽２９の内側には内方に突出した衣類回動抵抗用の邪魔板２８が複数個設けられているため、邪魔板２８が回転する洗濯物と接触することで、前記上内槽２９は回転し、上下の洗濯物に対して異なる回転力を与えることになり、洗濯物により複雑な負荷を与えることができる。
【００３７】
次に、排水時には、モータ１３の回転を止めて、攪拌翼６の回転を止め、手動により排水弁１８を開くことで、多数の小孔２により連通した内槽４０および外槽３内の洗濯液を排水ホース１９を介して機外に排水することができる。
【００３８】
脱水時には、排水弁１８を開き、クラッチレバー１７を手動にて動作させ、クラッチ爪１６をクラッチ部材１５の外周から離脱させ、クラッチスプリング１４のしまり方向に回転させることにより、ブレーキホイール１１と脱水軸８は一体となって回転し、内槽４０の周壁に設けた小孔２を通って外槽３へ排出され、排水弁１８、排水ホース１９と流れ、機外に排出することができる。
【００３９】
以上のように本実施の形態では、内槽４０を上下に二分割し、内部に突出した複数個の邪魔板２８を有する上内槽２９と下内槽３０とを回動自在にすることで、洗濯物により複雑な動きと負荷を与えることができ、均等に洗濯物同士をこすれさせ、洗いむらのない洗濯を実現でき、さらに、上内槽２９に設けた邪魔板２８と洗濯物のこすれにより洗浄性能を向上させることができる。
【００４０】
また、上内槽２９と下内槽３０との組み立ては、上方より上内槽２９の嵌合部３１を、合成樹脂で構成された下内槽３０の爪部３３の弾性を利用して圧入することで出来るので、簡単で部品点数も少なく、生産性も優れた構成である。
【産業上の利用可能性】
【００４１】
以上のように、本発明にかかる洗濯機は、簡単かつ確実な構成で洗いむらと洗浄性能の向上が可能となり、小スペースでありながら大容量の洗濯機を提供することができる。
【図面の簡単な説明】
【００４２】
【図１】本発明の実施の形態１における洗濯機の縦断面図
【図２】同洗濯機の上内槽と下内槽の要部斜視図
【図３】同洗濯機の要部拡大断面図
【図４】従来の洗濯機の縦断面図
【符号の説明】
【００４３】
２    小孔
３    外槽
６    攪拌翼
７    洗濯軸
８    脱水軸
１１  ブレーキホイール（連結部材）
１２  サスペンション
１３  モータ
１４  スプリングクラッチ
２０  緩衝部材
２８  邪魔板
２９  上内槽
３０  下内槽
３１  嵌合部
３２  嵌合溝
３３  爪部
４０  内槽
【図１】
2008006047.tif 000003
【図２】
2008006047.tif 000004
【図３】
2008006047.tif 000005
【図４】
2008006047.tif 000006